(57)【特許請求の範囲】
【請求項１】
道路から汚染物質を除去するためのシステムであって、
少なくとも１つの車輪を有する車両と、前記車両に装着され道路面上に蓄積された道路汚染物質を捕集可能な表面を有する汚染物質捕集装置とを備え、
前記汚染物質捕集装置は、走行中の前記車両の車輪によって道路面から放出された道路汚染物質のしぶきを受ける位置でその表面をさらすようにして前記車両に装着されるシステム。
【請求項２】
前記汚染物質捕集装置は、汚染物質捕集パッドを含む請求項１に記載のシステム。
【請求項３】
前記汚染物質捕集装置は、汚染物質捕集パッドと前記汚染物質捕集パッドを保持するハウジングとを備える請求項１に記載のシステム。
【請求項４】
前記汚染物質捕集装置は、親油性である請求項１に記載のシステム。
【請求項５】
前記汚染物質捕集装置は、疎水性である請求項１に記載のシステム。
【請求項６】
前記汚染物質捕集装置は、前記車両の車輪収容部に装着される請求項１に記載のシステム。
【請求項７】
前記汚染物質捕集装置は、前記車両の複数の泥よけフラップに装着される請求項１に記載のシステム。
【請求項８】
前記汚染物質捕集装置は、前記車両の下側に装着される請求項１に記載のシステム。
【請求項９】
前記汚染物質捕集装置は、前記車両のはねよけに装着される請求項１に記載のシステム。
【請求項１０】
前記汚染物質捕集装置は、前記車両の泥よけフラップに装着される請求項１に記載のシステム。
【請求項１１】
前記車両は、複数の車輪を備える請求項１に記載のシステム。
【請求項１２】
前記車両は、前記車両を作動させるように構成されたモータを備える請求項１１に記載のシステム。
【請求項１３】
前記車両は、４つまたはそれ以上の車輪を備える請求項１１に記載のシステム。
【請求項１４】
汚染物質放出器をさらに備える請求項１に記載のシステム。
【請求項１５】
前記汚染物質放出器は、道路汚染物質を含有する空気を前記汚染物質捕集装置へ流すことによって、前記汚染物質捕集装置への道路汚染物質の流れを増加させる請求項１４に記載のシステム。
【請求項１６】
前記汚染物質放出器は、ブロワを含む請求項１５に記載のシステム。
【請求項１７】
前記汚染物質放出器は、ファンを含む請求項１５に記載のシステム。
【請求項１８】
前記汚染物質放出器は、前記汚染物質捕集装置への道路汚染物質の流れを増加させる真空を生じる請求項１４に記載のシステム。
【請求項１９】
前記汚染物質捕集装置は、複数の汚染物質捕集パッドを備える請求項１に記載のシステム。
【請求項２０】
前記複数の汚染物質捕集パッドは、汚染物質捕集パッドを巻いた形態にされる請求項１９に記載のシステム。
【請求項２１】
前記複数の汚染物質捕集パッドは、汚染物質捕集パッドを積み重ねた形態にされる請求項１９に記載のシステム。
【請求項２２】
前記汚染物質捕集装置は、周囲にさらされた第１の汚染物質捕集パッドを取り外すことによって、第２の汚染物質捕集パッドを周囲へさらすように構成される請求項１９に記載のシステム。
【請求項２３】
前記汚染物質捕集装置は、前記汚染物質捕集装置の交換時期を表示するためにインジケータを備える請求項１に記載のシステム。
【請求項２４】
前記汚染物質捕集装置は、前記汚染物質捕集パッドの交換時期を表示するためにインジケータを備える請求項２に記載のシステム。
【請求項２５】
前記インジケータは、前記汚染物質捕集パッドの交換時期を表示するために、色が変化する化学物質を含有する請求項２４に記載のシステム。
【請求項２６】
前記汚染物質捕集装置は、フィルタ材料を含む請求項１に記載のシステム。
【請求項２７】
前記汚染物質捕集装置は、膜を含む請求項１に記載のシステム。
【請求項２８】
前記汚染物質捕集装置は、多孔質材料を含む請求項１に記載のシステム。
【請求項２９】
前記汚染物質捕集装置は、抗生コーティングを含む請求項１に記載のシステム。
【請求項３０】
前記汚染物質捕集パッドは、抗生コーティングを含む請求項２に記載のシステム。
【請求項３１】
道路から汚染物質を除去するための方法であって、
少なくとも１つの車輪を有する車両と、前記車両に装着され道路面上に蓄積された道路汚染物質を捕集可能な表面を有する汚染物質捕集装置とを備え、
走行中の前記車両の車輪によって道路汚染物質を道路面から放出させるステップと、道路面から放出された道路汚染物質のしぶきを受ける位置でその表面をさらすようにして前記車両に装着された前記汚染物質捕集装置によって道路汚染物質を捕集するステップとを含む方法。
【請求項３２】
前記汚染物質捕集装置は、前記車両の車輪収容部に装着される請求項３１に記載の方法。
【請求項３３】
前記汚染物質捕集装置は、前記車両の泥よけフラップに装着される請求項３１に記載の方法。
【請求項３４】
前記汚染物質捕集装置は、前記車両のはねよけに装着される請求項３１に記載の方法。
【請求項３５】
汚染物質放出器により道路面から道路汚染物質を放出させるステップをさらに含む請求項３１に記載方法。
【請求項３６】
前記汚染物質捕集装置の点検時期を示すステップをさらに含む請求項３１に記載の方法。
【請求項３７】
道路汚染物質を捕集可能な表面を有する汚染物質捕集装置と、少なくとも１つの車輪と、前記汚染物質捕集装置を前記車輪によって道路面上から放出された道路汚染物質のしぶきを受ける位置でその表面をさらすようにして保持する取付具とを備える車両。
【請求項３８】
前記汚染物質捕集装置は、フレームおよびパッドを含む請求項３７に記載の車両。
【請求項３９】
前記汚染物質捕集装置は、パッドを含む請求項３７に記載の車両。
【請求項４０】
前記汚染物質捕集装置は、親油性である請求項３７に記載の車両。
【請求項４１】
前記汚染物質捕集装置は、疎水性である請求項３７に記載の車両。
【請求項４２】
前記汚染物質捕集装置は、前記車両の車輪収容部に装着される請求項３７に記載の車両。
【請求項４３】
前記汚染物質捕集装置は、前記車両の泥よけフラップに保持される請求項３７に記載の車両。
【請求項４４】
前記汚染物質捕集装置は、抗生材料を含む請求項３７に記載の車両。
【請求項４５】
道路から汚染物質を除去するための汚染物質捕集装置であって、
道路面上に蓄積された道路汚染物質を捕集可能な表面を有し、走行中の車両の車輪によって道路面から放出された道路汚染物質のしぶきを受ける位置でその表面をさらすようにして車両に装着可能に構成されている汚染物質捕集装置。
【請求項４６】
道路面から道路汚染物質を放出させる手段をさらに備える請求項４５に記載の汚染物質捕集装置。
【発明の詳細な説明】
【技術分野】
【０００１】
本発明は、道路表面から汚染物質を除去する装置に関する。さらに詳細には、ここに説明する実施形態には、汚染物質捕集装置が含まれ、この汚染物質捕集装置は、多孔質フィルタ、パッド、または膜などの、車両を動かす下部構造に取り付けられて、道路の表面から放たれる道路の汚染物質を集める。周囲から汚染物質を除去するこれらの装置を使用する方法もまた、提供される。
【背景技術】
【０００２】
環境保護局（ＥＰＡ）によれば、汚染源が特定できない汚染（ＮＰＳ）が、現在、アメリカ国内における水質問題の主な原因である。ＮＰＳは、地面上を、また地面を通って流れる降雨または雪解け水により引き起こされる。流出水が流れると、流出水は、天然および人工の汚染物質を、拾い上げ運んで、最終的に沿岸海域、湖、川、湿地および我々の飲料水の地下水源にさえ堆積させる（例えば、２００２年１０月のＰｏｌｌｕｔｉｏｎ  Ｅｑｕｉｐｍｅｎｔ  Ｎｅｗｓの「海の油」を参照）。これらの汚染物質は、数が多くまた多様であるが、それらには、都市流出水およびエネルギーの生成によるオイル、グリースおよび有毒化学物質が含まれる。大気の堆積物および水文的改変（hydromodification）もまた、ＮＰＳの主要な源である。
【０００３】
道路面上に炭化水素および有毒金属が蓄積する原因の大部分は、排気管の排気、タイヤトレッドの摩耗、自動車流体の漏出、ブレーキパッドの劣化、および汚れた自動車洗浄水にある（米国特許第５，９９３，３７２号明細書を参照）。排気管の排気が放出されると、例えば、排気中の多くの「細かい」粒子が、街路上へ吸い込まれまたは徐々に流れて、雨により雨水渠内へ流されるか、あるいは回転するタイヤにより大気中へ投げ出される（「再飛散」と呼ぶ）のを待つ。微粒子、一酸化炭素、窒素酸化物、揮発性有機化合物、有毒有機化合物（例えば、トルエン）、および他の重金属が、すべて排気管の排気中に見つかる。さらに、タイヤトレッドが摩耗すると、汚染物質が、亜鉛、カドミウム、カーボンブラックおよびゴムの微粒子の形態で、道路面上に蓄積される。漏出するオイル、不凍液、ブレーキおよび変速装置用の流体、バッテリー用硫酸、グリースおよびグリース除去剤も、道路面に蓄積する。これらの自動車の液体は、同様に、有毒有機化合物および金属を含有している。さらに、ブレーキパッドのほこりも、道路汚染の主要な原因であって、我々の水路内へ銅が蓄積される大きな原因である。サンフランシスコ湾では、例えば、ブレーキパッドのほこりが、銅汚染の最大の原因であると報告される（Ｐａｌｏ  Ａｌｔｏ（ＣＡ）Ｒｅｇｉｏｎａｌ  Ｗａｔｅｒ  Ｑｕａｌｉｔｙ  Ｃｏｎｔｒｏｌ  Ｐｌａｎｔのウェブサイトから入手可能な「Ｈｏｗ  Ｄｏ  Ｖｅｈｉｃｌｅｓ  Ｐｏｌｌｕｔｅ  ｔｈｅ  Ｂａｙ？  Ｌｅｔ’ｓ  Ｃｏｕｎｔ  ｔｈｅ  Ｗａｙｓ」を参照）。
【０００４】
道路汚染物質の蓄積は、人間の健康に強烈な影響がある。主にＮａｔｉｏｎａｌ  Ｉｎｓｔｉｔｕｔｅ  ｏｆ  Ｅｎｖｉｒｏｎｍｅｎｔａｌ  Ｈｅａｌｔｈ  Ｓｃｉｅｎｃｅｓによる資金提供を受けた調査において、肺癌による死亡者数は、１立方メートル当たりの微粒子状物質が１０マイクログラムごとに８パーセント増加すると、研究者は推定した。最も汚染のひどい都市において肺癌および心臓病で死亡する危険を、非喫煙者が長期間にわたって（たばこの）副流煙にさらされることに関連づけられる危険と比較した（「２００２年３月５日付ＭＳＮおよびＷｅｂＭＤ  Ｍｅｄｉｃａｌ  Ｎｅｗｓ」のＪｅａｎｉｅ  Ｄａｖｉｓによる「Ａｉｒ  Ｐｏｌｌｕｔｉｏｎ  Ｉｎｃｒｅａｓｅｓ  Ｌｕｎｇ  Ｃａｎｃｅｒ  Ｒｉｓｋ、Ｅｖｉｄｅｎｃｅ  Ｌｉｎｋｓ  Ｂａｄ  Ａｉｒ  ｗｉｔｈ  Ｈｅａｒｔ  Ｄｉｓｅａｓｅ，  Ｔｏｏ」を参照）。自動車の数が、世界の人口増加率より３倍速く増加しており、また、世界中の死亡原因のおよそ４０％が、様々な環境要因、特に有機および化学汚染物質の場合があることから、道路面からこれらの毒素を除去する装置および方法が必要であることは、明らかである（ＢｉｏＳｃｉｅｎｃｅの１９９８年１０月号を参照）。
【０００５】
いくつかの異なる装置が、自動車から放出される汚染物質を捕集するように作製されている（例えば、米国特許第６，１７０，５８６号、第５，７１１，４０２号、第５，９９３，３７２号、第５，９６７，２００号、第５，５４９，１７８号、第５，６９２，５４７号および第６，５２４，９９２号明細書）。これらの装置および方法は、汚染物質が道路面と接触する前に汚染物質を捕集することによって、汚染物質を減少させるが、既に道路面上に蓄積している汚染物質を除去する装置および方法が、なおかなり必要とされている。
【発明の開示】
【課題を解決するための手段】
【０００６】
本発明は、道路面から汚染物質を除去するシステムおよび方法の実施形態を含んでいる。一実施形態では、本システムは、汚染物質捕集装置を備える車両を含み、当該汚染物質捕集装置は、汚染物質捕集装置の露出面に汚染物質が集まるように、車両の下側に装着され、これらの汚染物質は、車両を道路で走行させると、汚染物質捕集装置上へ分配される（例えば、車両のタイヤにより、あるいは走行中に車両の下に吸引が生じることにより、すなわちファン、ブロワ、バキュームにより吸引が引き起こされると、汚染物質が道路面から放出される）。いくつかの実施形態では、汚染物質捕集装置は、フレームおよびパッドを含む。一実施形態では、汚染物質捕集装置は、電荷を帯びたイオンを大気に追加し、静電帯電した収集プレートで汚染物質粒子を捕集するイオン洗浄装置を含んでいる。他の実施形態では、汚染物質捕集装置は、車両に取り付けられるパッドまたはフィルタを含む。さらに他の実施形態では、本システムは、汚染物質捕集装置へ空気および汚染物質を誘導または集中させるファン、ブロワまたはバキュームを含む。
【０００７】
汚染物質捕集装置は、車両の車輪収容部の内側に装着することができ、その位置は、車両が道路上を移動するときに、車両のタイヤから発されるしぶきが集まる位置、または汚染物質が、車両の下に吸引されて、汚染物質捕集装置と接触する位置である。他の実施形態では、汚染物質捕集装置は、車両の泥よけフラップに装着される。汚染物質捕集装置は、いくつかのタイプのファスナにより取り付けることができ、このファスナには、限定はしないが、汚染物質捕集装置を所定位置に保持するねじ、接着剤、釘、クランプ、面ファスナ（例えば、ＶＥＬＣＲＯ（登録商標）ブランドの面ファスナ）、および／またはスリーブが含まれる。他の実施形態では、車両のホイールハウジングは、それを汚染物質捕集装置にするか、または汚染物質捕集装置を組込むように、変更されるかまたは再設計される。別の実施形態では、ホイールハウジングは、汚染物質を集中させるように最適化され、当該汚染物質は、車両の下またはホイールハウジング内から、汚染物質捕集装置へ吸引される。種々の実施形態では、汚染物質捕集装置は、親油性パッド、疎水性パッド、疎水性・親水性パッド、帯電パッド、非帯電パッド、磁気パッド、または炭化水素または有毒金属を捕集するパッド、およびそれらの組み合わせを捕集するパッドであり得る。例えば、汚染物質捕集装置は、負の電荷を帯びた生物学的物質を引きつけ得る正の電荷を帯びたプラスチック材料を含み得る。
【０００８】
本発明の他の実施形態は、道路面から汚染物質を除去する方法に関する。例えば、一実施形態では、道路面に存在する汚染物質は、車両の下に分散され（例えば、タイヤによって放たれ、走行中に生じる真空によって、あるいはファン、ブロワまたはバキュームにより生じる空気流によって車両の下に吸引され）、車両の下部構造に装着された汚染物質捕集装置によって捕らえられる。いくつかの実施形態は、車両の車輪収容部の内部に装着された汚染物質捕集装置内に、道路面からの汚染物質を捕集するステップを含んでいる。他の実施形態は、車両の泥よけフラップに装着された汚染物質捕集装置内に、道路面からの汚染物質を捕集するステップを含んでいる。別の実施形態は、車両で汚染物質を放つまたはかき乱すことにより、湿潤または乾燥した道路面から汚染物質を除去するステップと、車両の下側に装置された汚染物質捕集装置の露出部分内に汚染物質を集めるまたは捕集するステップと、を含む。ここに説明する本発明のシステムおよび方法を使用することによって、道路汚染物質（例えば、炭化水素、揮発性化学物質および有毒金属）が、周囲から除去される。
【発明を実施するための最良の形態】
【０００９】
ここで、本発明の実施形態を添付の図に関連して説明し、当該図では、同様の番号は、同様の要素を示している。ここに示す説明において使用される用語は、本発明のある特定の実施形態の詳細な説明に関連して用いられているという理由だけで、種々に制限または限定が行われるようには解釈されないものとする。さらに、本発明の実施形態は、新規ないくつかの特徴を含み得、それらの単一のものだけでは、望ましい特質を得られず、あるいはそれらの新規ないくつかの特徴は、ここに説明する本発明の実施に必須ではない。
【００１０】
道路面に蓄積する汚染物質を捕集するための装置および方法が、開発されており、それらを、添付の図に関連してここに説明する。いくつかの実施形態において、本装置は、汚染物質捕集装置を含み、当該捕集装置は、道路汚染物質が道路面から放たれると、それらの汚染物質を集めかつ／または結合させ得る位置で、車両の下部構造に取り付けられる（例えば、汚染物質は、駆動中に車両のタイヤにより放たれ、駆動中に生じる真空により車両の下に吸い込まれ、あるいはファン、ブロワ、またはバキュームにより空気流が作り出されることによって、車両の下へ押し込まれるかまたはフィルタへ集められる）。例えばブロワ、モータ、またはファンを使用して、強制的に空気を誘導するかまたは吸い込むことによって、汚染物質捕集装置への空気流および道路汚染物質の流れを増加させ得る。例えば、強制的な空気の誘導または吸い込みは、車両が、汚染物質捕集装置への十分な空気流を生じさせる程十分速く動いていない場合に、汚染物質捕集装置への道路汚染物質の流れを増加させるために利用し得る。本発明の実施形態は、汚染物質捕集装置（例えば、パッド、フィルタまたは膜）を含み、当該汚染物質捕集装置は、車両の車輪収容部、はねよけまたは泥よけフラップに取り付けられ、この取り付けは、車両の車輪により生じる道路のしぶき（例えば、雨水または道路のほこり）を集める位置に行われるか、あるいは、駆動中に真空が生じることにより、または強制的に空気が誘導されること（例えば、ファン、ブロワ、またはバキューム）により、車両の下に吸い込まれる道路汚染物質との接触が可能な位置に行われる。汚染物質捕集装置は、多くの異なる材料から作製可能であって、好ましくは、炭化水素、有毒金属、オイル、タール、燃料、潤滑剤、有機化学物質、農薬、バクテリア、石綿、除氷剤由来の塩およびその他同種のものを結合する材料からできている。
【００１１】
汚染物質捕集装置（例えば、道路からしぶきが上がる車輪収容部領域に取り付けられた炭化水素フィルタ）を装備した車両は、道路面上において車両を単に駆動させることにより道路面上の炭化水素量を減少させるために使用することができる。タイヤが道路汚染物質を放つと、例えば、湿った道路面から汚染物質と水とのスラリーを引き出すことによって、または乾燥した道路面から汚染物質を含んだほこりのエーロゾルを作り出すことによって、汚染物質は、汚染物質捕集装置と接触し付着して、それにより、道路面上の汚染物質の量が減少する。
【００１２】
さらに、車両が道路面上を駆動すると、真空が、車両の下の、特に車輪収容部上の位置に生じる。車両が引き起こす真空は、自転車に乗った人が、通り過ぎるバスの車輪に引き込まれるいくつかの事故の原因と思われるほどの相当な量になり得る（Ｊ．Ｎａｔｌ．Ａｃａｄ．ｏｆ  Ｆｏｒｅｎｓｉｃ  Ｅｎｇｉｎｅｅｒｓ、ＸＶＩＩＩ巻  第１号、２００１年６月を参照）。速度が増すと、車両の車輪近くの圧力は減少して、真空が生じる。本発明の一実施形態は、この真空を利用して、道路面から放たれる道路汚染物質を車両の下に吸い込み、車両の下かつ／または車両の車輪収容部内に配置された汚染物質捕集装置上に配置して、それにより、道路面上の汚染物質の量を減少させる。
【００１３】
汚染物質捕集装置（例えば、車輪収容部に取り付けられる炭化水素フィルタ）を装備した車両、および汚染物質放出器（例えば、汚染物質をフィルタパッドと接触させるために、空気流、好ましくは真空を生じるように車両に取り付けられるファンおよびブロワ、バキューム）が提供される。汚染物質捕集装置と汚染物質放出器とを組み合わせることによって、特に車両が低速度に維持された場合、汚染物質捕集装置上に集められる汚染物質の量を増加させ得る。
【００１４】
図１に、一実施形態に係る汚染物質捕集装置１２０を示す。汚染物質捕集装置１２０は、車両への損傷を妨げるだけでなく、さらに重要なことには、道路面から汚染物質を除去し、これは、環境汚染物質が道路面からかき乱されるときに、環境汚染物質を集めることにより行われる。いくつかの実施形態では、汚染物質捕集装置１２０は、水または他の無公害性の道路流体から環境汚染物質を分離する。いくつかの実施形態では、汚染物質捕集装置１２０は、汚染物質を凝固させ得る。
【００１５】
図１に示す実施形態では、汚染物質捕集装置１２０は、ハウジング１２４および汚染物質捕集パッド１２６を含んでいる。ハウジング１２４は、汚染物質捕集パッドを保持するどんなタイプの構造にしてもよく、例えば汚染物質捕集パッド１２６を「保持」し、汚染物質を集めるためのパッド１２６の両面を露出するフレームにすることができる。別の例の実施形態では、ハウジングは、汚染物質捕集パッド１２６を保持し、汚染物質を集めるためのパッド１２６の片面を露出する構造にし得る。いくつかの実施形態では、パッド１２６は、少なくとも１つの面を、道路、車輪または車輪収容部に露出するように配置され得る。別の実施形態では、汚染物質捕集装置１２０は、ハウジング１２４のない汚染物質捕集パッド１２６を含む。汚染物質捕集パッド１２６を「保持する」構造体またはフレームについて述べると、多数のタイプの実施形態では、汚染物質捕集パッドが、本構造体へ、任意の方法（例えば、クリップ、スナップ、面ファスナ、ボタン、接着剤、ねじ、雄部および雌部と連結されるファスナ、機械的な圧力など）で取り付けられ、その取り付けが、永続的にまたは取り外し可能に行われる場合を含めて考えられている。
【００１６】
図４において詳細に後述するように、汚染物質捕集装置１２０は、車両の下側、または車輪収容部を含めて、汚染物質捕集パッド１２６を道路汚染物質へ露出する車両のどんな部分にも、取り付け得る。車両の車輪ハウジング（または車輪収容部）は、車両の下または車輪収容部内への真空を改善し、汚染物質捕集パッド１２６上に分散される汚染物質を集中させるような設計にし得る。
【００１７】
図２の広範囲の上面または底面図に示すように、例えば、汚染物質捕集パッド１２６は、汚染物質捕集装置の材料１３０を含み得、この材料１３０には、例えば、炭化水素および／または有毒金属を集める膜、スポンジまたはフィルタが含まれ得る。いくつかの実施形態では、汚染物質捕集装置の材料１３０は、汚染物質を結合させ、集め、捕らえ、かつ／または保持し得る。いくつかの実施形態では、汚染物質捕集パッド１２６は、水または他の無公害性の道路流体をはじき得る材料を含む場合がある。一実施形態では、汚染物質捕集装置の材料１３０には、車両上へ配置するためのキルティング製の吸収性パッドが含まれる。別の実施形態では、汚染物質捕集装置の材料１３０は、汚染物質捕集装置の材料１３０が結合し、捕らえ、かつ／または保持することを支援する複数の孔１３２を含む。
【００１８】
一実施形態では、汚染物質捕集装置の材料１３０は、吸収性スポンジを含み、それは、動物性または合成源から作製し得る。本発明のいくつかの実施形態において使用し得るスポンジには、米国特許第５，０３９，４１４号明細書に記載された汚染物質捕集装置１２０が含まれる。いくつかの実施形態では、汚染物質捕集パッド１２６は、汚染物質を無公害性の材料へ分解しかつ／または化学変化させる有機体または化学物質を含む（例えば、油を分解するバクテリア、胞子または殺菌性のある化合物）。
【００１９】
図３に、汚染物質捕集装置１２６の縁の図を示す。汚染物質捕集パッド１２６は、上部１３６および底部１３８を有している。汚染物質捕集パッド１２６は、さらに複数の層１４０を含み得る。いくつかの実施形態では、層は、すべて同じ特性を具え得る。他の実施形態では、汚染物質捕集パッド１２６の各層１４０は、異なる特性を具え得る。例えば、層１４０の上部１３６またはその近くが、疎水性（撥水性）であり、かつ／あるいは層１４０の底部２３８またはその近くが、親油性（油吸引性）であることが望ましい場合がある。いくつかの実施形態では、汚染物質捕集パッド１２６は、コーティング、例えば化学物質または有機体を含有するコーティングを含み得、それによって、別の望ましい特性が汚染物質捕集パッド１２６に与えられる。
いくつかの実施形態では、汚染物質捕集パッド１２６は、親油性、疎水性、または親油性かつ疎水性にしてもよい。汚染物質捕集パッド１２６は、吸収、吸着、カプセル化、マイクロカプセル化、揮発、沈降、再懸濁、脱着、酸化または還元、錯体形成、あるいはそれらを組み合わせて用いて、道路から汚染物質を除去する材料からなり得る。
【００２０】
いくつかの実施形態では、汚染捕集パッド１２６は、吸収性、吸着性または両方の性質を含み得る吸収吸着材料（ここでは「吸収吸着剤」と呼ぶ）を含む。吸収吸着材料は、その分子構造の全体にわたって分配された液体をピックアップし、保持するものである。吸収吸着材料は、孔および毛細管を含めて、その面上が液体によりコーティングされる不溶解性材料である。吸収吸着剤は、天然有機物、天然無機物、または合成物であり得る。天然有機吸収吸着剤には、ピートモス、麦わら、干し草のおがくず、粉にしたトウモロコシの穂軸、羽毛、紙および他の炭素系材料が含まれる。使用し得る天然製品の一例は、カナダ国、ニューファンドランド州のＨｉ  Ｐｏｉｎｔ  Ｉｎｄｕｓｔｒｉｅｓにより製造され商品名「ＯＣＬＡＮＳＯＲＢ」で入手し得る、処理されたピートである。天然無機吸着剤には、粘土、パーライト、バーミキュライト、グラスウール、砂、火山灰およびその他同種のものが含まれ得る。合成吸着剤には、ポリウレタン、ポリエチレンおよびポリプロピレンなどのプラスチック、架橋重合体、ゴム材料、ゲル、コロイドおよびその他同種のものが含まれ得る。吸収吸着材料の組み合わせを使用し、それを、別個の層内において混合するかまたは供給し得ることが好ましい。
【００２１】
様々なタイプの吸収吸着材料が、当該技術において知られており、それらのうちのどれを、ここに説明する汚染物質捕集装置１２０の実施形態に組み入れてもよい。例えば、汚染物質捕集装置１２０のいくつかの実施形態は、冬の数か月の間に道路に塩をまいた結果、道路に蓄積する塩を集めるように設計された材料を含む。道路の塩を集める汚染物質捕集パッド１２６に適する吸収吸着材料が、米国特許第６，５２６，７４１号明細書に記載されている。ナトリウムおよびカリウム塩などのアルカリ金属は、炭化水素、化学物質、ポリマーグループであるＰａｌｌ  Ｐｒｏｃｅｓｓ  Ｆｉｌｔｒａｔｉｏｎ  Ｃｏｍｐａｎｙから入手可能なＡｑｕａ  Ｓｅｐ（登録商標）フィルタに供給された吸収吸着材料に容易に吸収され得る。ここに説明する汚染捕集装置１２０内にこの吸収吸着材料を使用することが、考えられる。同様に、磁化された吸収吸着材料を使用することが、当該技術において知られており、この技術も、ここに説明する実施形態に容易に用いることができる（例えば、米国特許第６，５２４，４５７号明細書を参照）。
【００２２】
汚染物質捕集装置１２０の実施形態は、単独でまたはここに説明する他の膜およびフィルタと組み合わせて使用し得る多くの別のタイプの適切な膜またはフィルタを含み得る。例えば、種々の実施形態では、汚染物質捕集装置１２０は、ＥＳＦＩＬ  ＴＥＣＨＮＯ（北東エストニア内の、シラマエ市の工業地域の自由経済地帯の領域内にある法人の中の法人）により製造されたろ過材の１つまたはそれ以上のろ過材を含み得、ろ過材の選択は、除去の標的にする道路汚染物質により異なり得る。いくつかの例の実施形態では、汚染物質捕集装置１２０は、ろ過用高分子材料（「ＦＰＭ」）を含み得、それは、ＥＳＦＩＬ  ＴＥＣＨＮＯから入手可能であって、また、希釈された酸、アルカリ、アルコール、飽和炭化水素、グリセリン、オイル、石油および真水に対して化学的に安定しており、−３０°Ｃから＋７０°Ｃまで維持される温度範囲を有している。他の実施形態では、汚染物質捕集装置１２０は、ペルクロロビニル（ｐｅｒｃｈｌｏｒｏｖｉｎｙｌ）ろ過材（「ＦＰＰ」）を含み得、それは、ＥＳＦＩＬ  ＴＥＣＨＮＯから入手可能であって、強酸とアルカリ、アルコール、および飽和炭化水素に対して化学的に安定しており、−２００°から６０°Ｃまでの作用温度範囲を有する。ＥＳＦＩＬ  ＴＥＣＨＮＯからの、汚染物質捕集装置１２０内において使用し得るろ過材の例は、ＦＰＰ−Ｄ（一般に希薄な空気およびガスのろ過に使用）、ＦＰＰ−Ｄ−４（一般に、液体、燃料、航空オイルを含むオイル、粒子、空気、ガスの希薄浄化に使用）、ＦＰＰ−Ｇ（一般に、アルコール、酸、アルカリの浄化に使用）、ＰＯＲＯＦＩＬＧ−５／２０６（一般に、５ミクロンを超える粒子の除去に使用）、ＰＯＲＯＦＩＬＧ−１／２０７（液体香料、アルコール、飽和炭化水素、オイル、酸、技術的にイオン除去された水、機械的不純物からの水溶液の浄化を目的とする）、ＦＰＡＲ−１５−１．５（一般に、希薄なガスおよび空気のろ過に使用）、およびＦＰＳＦ−１５−１．５（一般に、微生物、バクテリアおよびウイルスを含む、空中の分散混合物からの空気の希薄浄化に使用）を含むが、それらに限定はされない。
【００２３】
汚染物質捕集装置１２０は、他の応用においてフィルタとして使用し得るか、またはここでは「フィルタ」または「フィルタ材料」と呼び得る様々な材料を含み得るが、汚染物質捕集装置においてそのような材料を使用する場合、このような材料を使用することには、必ずしも空気流を材料中に通過させる必要はなく、ただし、いくつかの場合には、空気流を材料中に通過させてもよい。むしろ、道路汚染物質を運ぶ空気流は、道路汚染物質を、フィルタ材料上にまたはフィルタ材料内に集めるか、またはフィルタ材料と結合させるように、フィルタ材料の近傍に汚染物質を配置する必要があるだけである。いくつかの実施形態では、汚染物質捕集装置１２０は、耐熱性が高い材料、例えば、高温の影響を受けない汚染物質収集特性を有する材料、および／または燃焼点が高く、それにより汚染物質捕集装置１２０が、車両の、高温にさらされる場所に、例えば機関または排気装置の近傍に配置され得る材料を含み得る。
【００２４】
重大な環境被害を引き起こす別の一般的な道路汚染物質は、ガソリンの含酸素添加剤として使用されるタイプのｔ−ブチルエーテル（例えば、メチルｔ−ブチルエーテル（ＭＴＢＥ）、エチルｔ−ブチルエーテル、およびメチルｔ−アミルエーテル）、並びにエーテル系溶媒（例えばテトラヒドロフラン）などのエーテル系汚染物質である。米国の地下水のＭＴＢＥ汚染の全体が、最近分かったばかりである。米国地質調査所の全米水質評価プログラムの一部として行なわれた調査によって、ＭＴＢＥが、都市の地下水中に最もよく検出される第２の汚染物質であることが明らかになった（Ｓｑｕｉｌｌａｃｅ  Ｐ．Ｊ．、Ｊ．Ｓ．Ｚｏｇｏｒｓｋｉ、Ｗ．Ｇ．ＷｉｌｂｅｒおよびＣ．Ｖ．Ｐｒｉｃｅの、「Ｐｒｅｌｉｍｉｎａｒｙ  ａｓｓｅｓｓｍｅｎｔ  ｏｆ  ｔｈｅ  ｏｃｃｕｒｒｅｎｃｅ  ａｎｄ  ｐｏｓｓｉｂｌｅ  ｓｏｕｒｃｅｓ  ｏｆ  ＭＴＢＥ  ｉｎ  ｇｒｏｕｎｄｗａｔｅｒ  ｉｎ  ｔｈｅ  Ｕｎｉｔｅｄ  Ｓｔａｔｅｓ，  １９９３−１９９４」、Ｅｎｖｉｒｏｎ．Ｓｃｉ．Ｔｅｃｈｎｏｌ．３０：１７２１−１７３０（１９９６年））。エーテル系の汚染物質、特にＭＴＢＥ、並びにオイルおよびグリースを捕集するいくつかの異なる吸収吸着材料が、知られている（米国特許第５，４３７，７９３号、第５，６９８，１３９号、第５，８３７，１４６号、第５，９６１，８２３号、第６，５２４，８４２号、第６，１８０，０１０号、第６，４７５，３９３号および第５，６１４，１００号明細書を参照）。
【００２５】
多くの実施形態の場合、米国特許第６，４７５，３９３号明細書に記載された吸収吸着材料などの適切な吸収吸着材料、または同様の材料が、汚染物質吸収吸着パッド１２６に好ましい場合があって、その理由は、オイル、グリースおよびその他同種のものを効率的に集めるが、ベンゼン、トルエン、キシレン、ハロゲン化炭化水素、エトキシ化グリコールなどの有害で若干可溶性のある有機化合物も捕集することである。これらの有害な汚染物質は、水から除去しにくい化合物であり、発癌性がある。この吸収吸着材料はまた、カドミウム、クロム、銅、鉛、ニッケル、亜鉛、ヒ素、銀および水銀などの金属イオンを除去し得る。
【００２６】
下記の実施例１は、この吸収吸着材料を製造する１つの方法を説明している。
【００２７】
実施例１
本発明とともに使用するフィルタ基板を製造するために、適切な溶媒および吸収吸着組成物から、注入溶液を準備する。この実施例において、溶液を、９０ｗ／ｗ  ９９．９％のアセトンと１０ｗ／ｗの吸収吸着組成物とから準備し、吸収吸着組成物は、３１％のイソブチルメタクリレート、３１％のＥＬＶＡＣＩＴＥ  ２０４５および６６％の亜麻仁油の反応生成物である。吸収吸着組成物をアセトンとともに密閉爆発しにくい混合機に加え、１２時間または溶液が均質になるまで混合する。この実施例における基板は、不織ポリプロピレン、すなわち、Ｈｉｇｈ  Ｐｏｉｎｔ  Ｎ．ＣのＹａｒｏｒｏｕｇｈ  ＆  Ｃｏ.のＶＥＲＡＳＰＵＮ材料である。この材料の重量は、１オンス／平方フィートである。基板材料を、飽和するまで注入溶液に浸し、次にそれを取り出し、過剰の液体を滴下させ得る。その後、材料を、アセトンがなくなるまで、華氏１１０から１２０度で対流炉内に置く。その後、材料を、１週間室温で硬化させる。次いで、得られた材料を、（例えば、車両の車輪収容部内に取り付けられるように）切断し様々なフィルタ構成に形成する。
【００２８】
図４を参照すると、車両２００が、道路２０２上に示されている。道路２０２は、生じることが一般に知られている、汚染物質２０４の層を道路２０２上に配置して示している。車両２００は、車両本体２０５および車輪２０６を含み、車輪２０６は、車輪収容部２０８により少なくとも部分的に囲まれるように示している。車両本体２０５は、道路２０２にさらされる下側２０９を含む。車両２００が道路に沿って移動すると、汚染物質２０４が、回転する車輪２０６によりかき乱される。汚染物質２０４は、車輪２０６と接触するので、かつ／または動いている車両２００の下およびその周りに真空が生じることによって、道路２０２から運ばれる。車輪２０６が回転することによって、車両と環境に損害を与える恐れがある汚染物質のしぶきが生じる場合がある。雨が降ると、この状況は悪化する。雨によって、道路面への汚染物質が増加して、駆動状況が安全でなくなり、環境への損害が増加する。車輪２０６が道路２０２と直接接触するので、汚染物質の濃度は、車輪２０６の近くで、特に車両の車輪収容部２０８において最も高い。
【００２９】
汚染物質のしぶきは、車輪２０６の回転により生じる風洞作用により生じる。調査によって、車両の車輪が回転すると、車輪に低圧力が生じて、物体が車輪の方へ引き込まれることが確認された。例えば、２００１年６月刊行のＪｏｕｒｎａｌ  ｏｆ  ｔｈｅ  Ｎａｔｉｏｎａｌ  Ａｃａｄｅｍｙ  ｏｆ  Ｆｏｒｅｎｓｉｃ  Ｅｎｇｉｎｅｅｒｓ、ＸＶＩＩＩ巻、第１号の、Ｊａｍｅｓ  Ｍ．Ｇｒｅｅｎによる「Ｔｈｅ  Ｃａｕｓａｌ  Ｆａｃｔｏｒ  ｏｆ  Ｂｕｓ  Ｗｈｅｅｌ  Ｉｎｊｕｒｉｅｓ  ａｎｄ  ａ  Ｒｅｍｅｄｉａｌ  Ｍｅｔｈｏｄ  ｆｏｒ  Ｐｒｅｖｅｎｔｉｏｎ  ｏｆ  Ｔｈｅｓｅ  Ａｃｃｉｄｅｎｔｓ」を参照。
【００３０】
図５を参照すると、車両の車輪収容部２０８が汚染物質捕集装置を含んでいない場合の、車輪収容部２０８の詳細な図が示されている。車輪収容部２０８は、内面２１０、移行面２１２、および開口部２１４を含んでいる。移行面２１２は、車両２００の本体２０５に内面２１０を接続して、その結果、部分的に開いたハウジングが形成される。車輪収容部２０８は、部分的に車輪２０６と車輪アセンブリ２１６を収容する。
【００３１】
図６から図８を参照すると、汚染物質捕集装置１２０が、車両２００の車輪収容部２０８に取り付けて示されている。図６は、汚染物質捕集装置１２０を、車輪収容部２０８の内面２１０に取り付けて示している。図７は、複数の汚染物質捕集装置１２０を、車輪収容部２０８の内面２１０に取り付けて示している。図８は、汚染物質捕集装置１２０を、車輪収容部２０８の移行面２１２に取り付けて示している。道路汚染物質の濃度が最も高いのは、車両の車輪収容部なので、上述のように、車輪収容部２０８に汚染物質捕集装置１２０を取り付けることが、望ましい。したがって、いくつかの実施形態では、車輪収容部は、実質的に汚染物質捕集装置となるように構成される。
【００３２】
汚染物質捕集装置１２０は、任意の適切な構成に、例えば、三角形、楕円形、Ｌ字形、正方形、長方形、円形、丸状、球状、あるいは電動または非電動車両の任意の部分に取り付けられるように設計された他の形状に作製し得る。汚染物質捕集装置１２０の寸法は、後述するように、汚染物質捕集装置１２０の特定の構成および位置によって変わり得る。好ましくは、汚染物質捕集装置１２０は、車両２００の車輪収容部、フェンダ、または泥よけフラップ内にきちんと取り付けられ、また、形状が、特定の車両１００の車輪収容部のしぶきのパターンに対応する形状であり、かつ／あるいは、駆動中に真空が生じることによって、かつ／またはファン、ブロワ、またはバキューム装置などの汚染物質放出器により気流または真空が作り出されることによって、車両１００内およびその下に押し流される汚染物質を集めるのに最適な形状および車両の下の位置になるように、構成される。
【００３３】
汚染物質捕集装置１２０は、さらに、車両１００に汚染物質捕集装置１２０を取り付けるためのファスナを含み得る。車両１００に汚染物質捕集装置１２０を取り付けるために、面ファスナ、クリップ、ねじ、接着剤、ファスナ、ブラケットおよび同様のものなどのどんな取付方法を、使用してもよい。
【００３４】
一実施形態では、汚染物質捕集装置１２０は、車両２００の下側２０９へ取り付けられる。車両２０９の下側に汚染物質捕集装置１２０を設けることによって、汚染物質捕集装置１２０は、車両２００が道路２０２上で駆動されるとかき乱されるかまたは放出される汚染物質を集める。別の実施形態、さらに多くの実施形態では、車両１００の車輪ハウジング１２４は、車両１００の下におけるまたは車輪収容部内への真空を改善するか、かつ／または汚染物質捕集パッド１２６上に、まき散らされる汚染物質を集中させるように、設計されている。
【００３５】
図９に示すように、汚染物質捕集装置１２０は、車両２００の泥よけフラップ２４４上に設けてもよい。しかしながら、一般に、図１０に示すように、汚染物質捕集装置１２０は、道路汚染物質が道路面から放出されると、汚染物質捕集装置１２０の露出された部分が道路汚染物質を集める位置において、道路２０２の方を向いた、車両２００の下側２０９のどの場所にも設けてもよい。いくつかの実施形態では、汚染物質捕集装置１２０は、車両の前方に設けられる場合がある。より多くの実施形態では、汚染物質捕集装置１２０は、フェンダ車輪収容部に設けられる場合がある。
【００３６】
いくつかの実施形態では、汚染物質捕集装置および／または道路の近くの空気流を増加させるために、汚染物質刺激器または放出器（図示せず）を使用してもよく、それによって、道路から除去され汚染物質捕集装置に付着される汚染物質が、増加する。いくつかの実施形態では、汚染物質刺激器は、空気流を増加させるために強制的な誘導または吸引を用いる場合がある。汚染物質刺激器の例には、限定はしないが、ブロワ、モータ、ファンおよびその他同種のものが含まれる。
【００３７】
いくつかの実施形態では、汚染物質捕集装置１２０は、バクテリア、ウイルス、および／または他の微生物を殺すように構成し得る。例えば、一実施形態（図示せず）では、汚染物質捕集装置１２０は、乾燥すると一連の微細なスパイクを形成する液体で覆われた材料を含み得る。この表面と接触した微生物の細胞膜に孔があくと、微生物が死ぬ。前記微細なスパイクを形成し抗菌性の液体の例は、Ｂｉｏｇｒｅｅｎ  ３０００（登録商標）であって、それは、イギリス国ケントのＭｉｃｒｏｇｅｎｉｘ  Ｔｅｃｈｎｏｌｏｇｉｅｓ  Ｌｉｍｉｔｅｄから入手可能である。図１１は、微生物を中和するために使用され得る汚染物質捕集装置１２０の別の実施形態を示している。図１１に示すように、汚染物質捕集装置１２０は、紫外線源２５０にさらして、汚染物質捕集装置１２０内に存在するバクテリア、ウイルス、および他の有機体を殺しかつ／または抑制し得る。別の実施形態では、汚染物質捕集装置１２０は、殺菌剤、あるいは抗生物質または材料、例えば汚染物質捕集パッド１２６上を覆う抗生物質を含んでいる。さらに別の実施形態では、汚染物質捕集装置は、微生物を殺す殺菌剤またはオゾン発生器を含んでいる。
【００３８】
本明細書において考えられた汚染捕集装置１２０は、任意の適切な車両の面に配置されるように構成し得る。例えば、いくつかの実施形態では、汚染物質捕集装置１２０は、永続的に車両２００に固定し得る。他の実施形態では、汚染物質捕集装置１２０は、取り外し可能に車両２００に固定し得る。いくつかの実施形態では、ハウジング２２４は、永続的に車両２００に取り付け得る。他の実施形態では、汚染物質捕集パッド１２６は、取り外し可能でありかつ／または交換可能である。他の実施形態では汚染物質捕集装置１２０を隠すが、さらに多くの実施形態では、汚染物質捕集装置１２０を露出させる。
【００３９】
ここに全体を説明するように、汚染捕集装置、および道路面上の汚染物質を減少させる本方法の実施形態は、四輪車両に限定せず、またモータ付き車両に限定しない。汚染物質捕集装置は、二輪車両（オートバイ、自転車、スクーター、モペット、ヒューマン・セグウェイ・トランスポーター）、三輪車両（例えば、自動三輪車およびＡＴＶ三輪車と、非自動三輪車）、四輪車両（例えば、ＡＴＶ四輪車、トラクタ、乗用車、トラック、バンなど）、および車輪が４つを超える他の比較的大型の車両（例えば、多数の車輪を有するトラックなど）を含む、多数のタイプの車両における使用に適切な設計を行い得る。車両は、１つまたはそれ以上の汚染捕集装置を含むように構成し得る。汚染捕集装置は、汚染物質捕集パッド１２６を道路汚染物質にさらし得る、車両のどの場所にも配置可能である。例えば、汚染捕集装置は、車両の多数の場所に配置し得るが、その場所は、限定されず、フェンダ、フロントスポイラ、リヤスポイラ、スプラッシュガード、泥よけフラップ、車両、車両の下側、または汚染物質捕集装置が道路汚染物質にさらされ得る車両上の他の適切な位置が含まれる。さらに、汚染物質捕集装置は、どのタイプの車両上にも配置することができ、その配置場所は、汚染物質捕集パッド１２６が、通常は道路汚染物質にさらされないが、ファンまたはブロワによって、設計されてまたは自然に、車両を通り車両のまわりに生じる真空または種々の空気流を使用することによって、あるいは汚染物質捕集パッド１２６に道路汚染物質を運ぶ任意のタイプの装置を使用することによって、道路汚染物質にさらされる場所である。
【００４０】
汚染物質捕集装置は、多数のやり方で設計し得る。一実施形態では、汚染物質捕集装置１２０は、単一の汚染物質捕集パッド１２６を含み得る。他の別の実施形態（図示せず）では、汚染物質捕集装置１２０は、ローラーに配置される多数の汚染物質捕集パッドを含み得、１枚の汚染物質捕集パッドを道路にさらし、ある期間の後に、さらした汚染物質捕集パッドをローラーから取り外し、それにより、道路汚染物質を集めるために使用し得る別の汚染物質捕集パッドをさらす。
【００４１】
別の実施形態（図示せず）では、汚染物質捕集装置１２０は、１枚の汚染物質捕集パッド１２６を道路の汚染物質にさらして、例えばティッシュ箱またはナプキンディスペンサーと同様に、概ね積み重ねた構成の多数の汚染物質捕集パッドを含み得る。ある期間の後、さらされた汚染物質捕集パッド１２６を汚染物質捕集装置１２０から取り外し、それにより、周囲に、別の汚染物質捕集パッド１２６をさらして、その後、その別の汚染物質捕集パッド１２６を、道路汚染物質を集めるために使用する。
【００４２】
別の実施形態では、汚染物質捕集装置１２０は、一般に塗装ブース内において空気からの粒子をろ過するために使用される材料を含み得る。これらの材料には、例えば、ポリエステル、繊維ガラス、ポリエステルおよび繊維ガラス、スクリムを裏打ちした材料、紙あるいは繊維ガラスまたはポリエステルに関連して使用される紙が含まれ得る。他の実施形態では材料の粘着性が高くない場合でも、いくつかの実施形態では、粒子をしっかり保持するように、材料の粘着性を高くする。適切な塗装ブースのろ過材料は、例えば、ケンタッキー州、ルイスビルのＡｉｒｇｕａｒｄを含むいくつかの会社から入手し得る。
【００４３】
さらに別の実施形態では、汚染物質捕集装置１２０は、汚染物質捕集装置１２０または汚染物質捕集パッド１２６の点検時期、例えば、汚染捕集装置１２０の交換時期、または汚染物質捕集パッド１２６の交換時期を示すインジケータを含み得る。多数の汚染物質捕集パッド１２６（例えば、汚染物質捕集パッド１２６を巻いたものまたは汚染物質捕集パッド１２６を積み重ねたもの）を使用する実施形態では、汚染物質捕集装置１２０は、周囲に別の汚染物質捕集パッド１２６をさらし得るように、さらされた汚染物質捕集パッド１２６を取り外す時期を示すインジケータを含み得る。前述のインジケータは、種々のやり方で組み入れ得る。例えば、一実施形態では、インジケータを汚染物質捕集装置のフレームに配置する。別の実施形態では、インジケータは、汚染物質捕集パッド１２６の交換時期を示すように色が目に見えて変化する、汚染物質捕集パッド上の化学物質である。別の実施形態では、インジケータは、汚染物質捕集装置１２６または汚染物質捕集装置とは別にすることができ、また、汚染物質捕集装置１２０または汚染物質捕集パッド１２６の点検または交換時期を示す信号を供給するセンサまたは検知装置である。ここに開示した多数の材料は、汚染物質捕集装置において使用し得る適切な材料の例であるが、本発明は、開示された前記の材料に限定されない。
【００４４】
以下の実施例では、典型的な汚染物質捕集装置１２０で道路面上の炭化水素の量が低減したことを実証するために、典型的な汚染物質捕集装置を使用して行った実験を説明する。
【００４５】
実施例２
汚染物質捕集装置１２０をトラックの車輪収容部に取り付け、道路が濡れている条件下でハワイにおいて車両を走行させた。約１５０マイルを走行した後、汚染捕集装置１２０を取り外し、炭化水素の存在を分析した。ハワイ、ホノルルの食品品質研究所（Ｔｈｅ  Ｆｏｏｄ  Ｑｕａｌｉｔｙ  Ｌａｂ）を利用して、汚染物質捕集装置に蓄積した石油炭化水素の量の分析を独自に行った。
【００４６】
データからは、短い試験期間中に、相当な量の石油炭化水素が汚染捕集装置に蓄積されていたことが分かった。これらの結果から、汚染物質捕集装置１２０が、濡れた道路面上の道路汚染物質の量を著しく減少させたことが実証された。次の実施例は、汚染物質捕集装置１２０が、道路が乾燥している条件の下で、道路汚染物質を除去し得ることを実証するために実施可能なテストについて同様に説明している。
【００４７】
実施例３
汚染物質捕集装置１２０をトラックの車輪収容部に用い、道路が乾燥した条件下でハワイにおいて走行を行った。約１５０マイルを走行した後に、汚染捕集装置１２０を取り外し、炭化水素の存在を分析した。汚染捕集装置上への道路汚染物質の蓄積の分析には、ハワイ、ホノルルの食品品質研究所を利用し得る。汚染物質捕集装置が、乾燥した道路面上の道路汚染物質の量をさらに著しく減少させることが測定される。次の実施例は、汚染物質捕集装置１２０が、効率的に道路汚染物質を除去することを実証した別の試験について説明している。
【００４８】
実施例４
汚染物質捕集装置１２０を、２００２年型ＣｈｅｖｒｏｌｅｔのＡｖａｌａｎｃｈｅの車輪収容部に取り付け、車両を、混合道路条件（すなわち、湿潤・乾燥条件）下で、ハワイ、ホノルルの市街地近くで走行させた。約１５００マイルを走行させた後に、汚染捕集装置１２０を、取り外し、炭化水素と重金属の存在を分析した。汚染物質捕集装置１２０上への道路汚染物質蓄積の分析には、ハワイ、ホノルルの独立した研究所である先端分析研究所（Ａｄｖａｎｃｅｄ  Ａｎａｌｙｔｉｃａｌ  Ｌａｂ  ＬＬＣ）を利用した。
【００４９】
その結果から、短い試験期間中に、全石油炭化水素の相当な量の全石油炭化水素が汚染物質捕集装置１２０に蓄積していたことが分かった。さらに、その結果から、バリウム、クロム、銅、鉛およびセレンを含むかなりの量の重金属も、汚染物質捕集装置１２０上に集められたことが分かった。これらの結果から、ここに説明するような、車両および汚染物質捕集装置１２０を含むシステムが、道路面から炭化水素および重金属を効率的に除去することが実証された。次の実施例は、ここに説明する本発明の実施形態が、効率的に周囲から汚染物質を除去することをさらに強力に証明している。
【００５０】
実施例５
別の汚染物質捕集装置１２０を、日産フロンティアキングキャブピックアップトラックの車輪収容部に取り付けて、混合道路条件（すなわち、湿潤または乾燥条件）の下、ネバダ州ラスベガスの市街地の近くで走行させた。およそ４０２マイル、６８１マイル、１４１５マイルまたは３２７８マイル走行させた後、汚染物質捕集装置１２０を取り外して、炭化水素、重金属および様々な化学物質の存在を分析した。汚染物質捕集装置１２０への道路汚染物質蓄積の分析には、独立した研究所である、ネバダ州ラスベガスのＮＥＬ研究所（ＮＥＬ  Ｌａｂｏｒａｔｏｒｉｅｓ）を利用した。
【００５１】
第１の実験セットでは、同じタイプの汚染物質捕集装置１２０を、乾燥および湿潤道路条件の下でテストした。その結果から、かなりの総量の石油炭化水素（ＴＰＨ）が、乾燥および湿潤条件において汚染物質捕集装置１２０に蓄積していたことが分かった。例えば、２．５×２．５平方インチにカットしたフィルタでは、乾燥条件下において、ＴＰＨ総量がおよそ６．５ｍｇ（１平方インチあたりのＴＰＨ総量は、およそ０．０４ｆｌ．ｏｚ）が蓄積し、湿潤条件下では、１７．２ｍｇのＴＰＨ（１平方インチあたりのＴＰＨ総量は、およそ０．１１ｆｌ．ｏｚ）が蓄積した。バリウム、カドミウム、クロムおよび鉛を含むかなりの量の重金属もまた、汚染物質捕集装置１２０上に集められ、ジブロモフルオロメタン、トルエンおよび４−ブロモフルオロベンゼンなどの揮発性化学物質もまた、汚染物質捕集装置１２０上に蓄積していた。これらの実験から、汚染物質捕集装置１２０が、湿潤または乾燥道路条件下において周囲から炭化水素、重金属および揮発性化学物質を効率的に除去することが実証された。
【００５２】
第２の実験セットにおいて、異なる汚染物質捕集装置の、炭化水素、重金属および化学物質を蓄積する能力を、乾燥道路条件の下で比較した。両方のタイプの汚染物質捕集装置１２０が、周囲から全ての炭化水素、重金属および化学物質を除去することに有効であることが分かった。実際、１つのタイプの汚染物質捕集装置１２０に蓄積された炭化水素量は、汚染物質捕集装置１２０の（露出されていない）制御部上に存在することが分かっている炭化水素量の４倍を超えた。その結果から、バリウム、カドミウム、クロム、銅、鉛、銀、水銀（１つのタイプのフィルタ上）、４−ブロモフルオロベンゼン、ジブロモフルオロメタンおよびトルエンが蓄積していたことが分かった。これらの結果から、ここに説明するように、車両および汚染物質捕集装置１２０を含むシステムが、炭化水素、重金属および化学物質を周囲から効率的に除去するというより多くの証拠が得られる。上の実施例において提供されるような道路試験を、次の実施例において説明するように、米国の５０の全州および世界中の様々な国々において行う。
【００５３】
実施例６
汚染物質捕集装置１２０を、いくつかの車両の車輪収容部に適用し、湿潤・乾燥条件下で５０の全州およびいくつかの外国において走行させる。約１０００マイルを走行させた後に、汚染物質捕集装置１２０を、取り外し、例えばハワイ、ホノルルの食品品質研究所により、道路汚染物質の存在を分析する。これらの実験から、ここに説明する汚染物質捕集装置１２０を使用することによって、５０の全州および世界中のいくつかの国々で、炭化水素、有毒金属などの道路汚染物質の量を減少させ得ることが分かるだろう。
【００５４】
実施例７
汚染物質捕集装置１２０を車両の車輪収容部に適用して、湿潤・乾燥条件の下でネバダ州中の走行を行った。約３０００マイルの走行を行った後に、汚染物質捕集装置１２０を、取り外し、ニュージャージー州ウェストモントのＥＭＳＬ  Ａｎａｌｙｔｉｃａｌ  Ｉｎｃ．（「ＥＭＳＬ」）により、道路汚染物質の存在を分析した。ＥＭＳＬでは、汚染物質捕集装置に堆積した粒子を分析するために、偏光顕微鏡、走査型電子顕微鏡、透過型電子顕微鏡、エネルギー分散型Ｘ線分光器およびＸ線回折を組み合わせて使用する。ＥＭＳＬで、以下の粒子の濃度（パーセント）を確認した。石英２３％、方解石２０％、ドロマイト１７％、他の鉱物２％、珪酸カルシウム２５％、鋼破片２％、および未確認の有機物１１％。ＥＭＳＬによって、露出した汚染物質捕集パッド上の粒径分布に関する以下の情報も確認された。
【００５５】
【表１】
0004441531.tif 000002
この実験から、汚染物質捕集装置１２０が、様々な条件の下において様々な組成の道路汚染物質粒子を除去し、それにより、道路汚染物質の量を減少し得ることが分かった。先の説明は、本発明のいくつかの実施形態を詳述している。しかしながら、本文中に既にいかに詳細に述べたかに拘わらず、本発明を多くの方法で実施し得ることが理解されるだろう。上述のように、本発明のある特徴または態様を述べるときに特定の用語を使用することを、それらの用語が関連する本発明の特性または態様のどんな特定の特徴も含む限定が行われるような再定義をそれらの用語にここで行うものと解釈されないことに、注意すべきである。したがって、本発明の範囲は、添付の特許請求の範囲およびいかなる均等物にも従って解釈すべきである。
【図面の簡単な説明】
【００５６】
【図１】本発明の好ましい実施形態に係る汚染物質捕集装置の斜視図である。
【図２】汚染物質捕集装置の正面図である。
【図３】汚染物質捕集装置の側面図である。
【図４】道路上の車両の概略図である。
【図５】車両の車輪収容部の詳細な斜視図である。
【図６】車両の車輪収容部に使用される図３の汚染物質捕集装置の概略図である。
【図７】車両の車輪収容部に使用される図３の汚染物質捕集装置の概略図である。
【図８】車両の車輪収容部に使用される図３の汚染物質捕集装置の概略図である。
【図９】車両の泥よけフラップに使用される図３の汚染物質捕集装置の概略図である。
【図１０】車両と共に使用される図３の汚染物質捕集装置の概略図である。
【図１１】ＵＶ光源にさらされた図３の汚染物質捕集装置の概略図である。
【図１】
0004441531.tif 000003
【図２】
0004441531.tif 000004
【図３】
0004441531.tif 000005
【図４】
0004441531.tif 000006
【図５】
0004441531.tif 000007
【図６】
0004441531.tif 000008
【図７】
0004441531.tif 000009
【図８】
0004441531.tif 000010
【図９】
0004441531.tif 000011
【図１０】
0004441531.tif 000012
【図１１】
0004441531.tif 000013